(57)【要約】【課題】映像信号が無信号の時、特定映像信号を利用して画像を検査するようにした液晶表示装置の駆動装置及び方法を提供する。【解決手段】液晶パネルと、外部から入力される複合映像信号から複合同期信号及び第１映像信号を抽出する映像信号処理部と、第２映像信号を発生する映像信号発生部と、前記複合同期信号をカウントして選択信号を発生する入力信号検出部と、前記選択信号に従って前記映像信号処理部からの第１映像信号と前記映像信号発生部からの第２映像信号の中からいずれかを選択的に出力する映像信号選択部と、前記映像信号選択部によって選択されて出力される出力映像信号を前記液晶パネルに供給するデータドライバとを具備する。【選択図】図３
2005115375.tif 000002
【特許請求の範囲】
【請求項１】
液晶パネルと、
外部から入力される複合映像信号から複合同期信号及び第１映像信号を抽出する映像信号処理部と、
第２映像信号を発生する映像信号発生部と、
前記複合同期信号をカウントして選択信号を発生する入力信号検出部と、
前記選択信号に従って前記映像信号処理部からの第１映像信号と前記映像信号発生部からの第２映像信号の中からいずれかを選択的に出力する映像信号選択部と、
前記映像信号選択部によって選択されて出力される出力映像信号を前記液晶パネルに供給するデータドライバと、
を具備することを特徴とする液晶表示装置の駆動装置。
【請求項２】
前記入力信号検出部は、前記複合同期信号をカウントして前記複合同期信号が２回以下検出された場合に第１論理状態の選択信号を発生する反面、前記複合同期信号が２回を超えて検出された場合に第２論理状態の選択信号を発生するカウンタである
ことを特徴とする請求項１記載の液晶表示装置の駆動装置。
【請求項３】
前記映像信号選択部は、前記第１映像信号の赤色信号と前記第２映像信号の赤色信号が供給される第１選択回路と、前記第１映像信号の緑信号と前記第２映像信号の緑信号が供給される第２選択回路と、前記第１映像信号の青色信号と前記第２映像信号の青色信号が供給される第３選択回路と、を具備する
ことを特徴とする請求項２記載の液晶表示装置の駆動装置。
【請求項４】
前記第１乃至第３選択回路のそれぞれは、前記第１論理状態の選択信号に従って前記第２映像信号を選択して前記データドライバに供給すると共に、前記第２論理状態の選択信号に従って前記第１映像信号を選択して前記データドライバに供給する
ことを特徴とする請求項３記載の液晶表示装置の駆動装置。
【請求項５】
前記第１映像信号と第２映像信号は、互いに異なっている
ことを特徴とする請求項１記載の液晶表示装置の駆動装置。 
【請求項６】
前記映像信号発生部と前記入力信号検出部は、前記液晶パネルの駆動タイミングを制御するためのタイミング制御部に内蔵される
ことを特徴とする請求項１記載の液晶表示装置の駆動装置。 
【請求項７】
外部から入力される複合映像信号から複合同期信号及び第１映像信号を抽出する段階と、
第２映像信号を発生する段階と、
前記複合同期信号をカウントして選択信号を発生する段階と、
映像信号選択部を利用して前記選択信号に従って前記第１映像信号と前記第２映像信号の中からいずれかを選択する段階と、
前記映像信号選択部から選択されられて出力される前記第１映像信号と前記第２映像信号の中からいずれかをデータドライバを経由して液晶パネルに供給する段階と、
を含むことを特徴とする液晶表示装置の駆動方法。
【請求項８】
前記選択信号を発生する段階は、カウンタを利用して前記複合同期信号をカウントすることによって前記複合同期信号が２回以下検出された場合に第１論理状態の選択信号を発生する反面、前記複合同期信号が２回を超えて検出された場合に第２論理状態の選択信号を発生する
ことを特徴とする請求項７記載の液晶表示装置の駆動方法。
【請求項９】
前記映像信号選択部は、前記第１論理状態の選択信号に従って前記第２映像信号を選択して前記データドライバに供給すると共に、前記第２論理状態の選択信号に従って前記第１映像信号を選択して前記データドライバに供給する
ことを特徴とする請求項８記載の液晶表示装置の駆動方法。
【請求項１０】
前記第１映像信号と第２映像信号は、互いに異なっている
ことを特徴とする請求項７記載の液晶表示装置の駆動方法。
【請求項１１】
液晶パネルと、
外部から入力される複合映像信号から複合同期信号及び第１映像信号を抽出する映像信号処理部と、
第２映像信号を発生して前記複合同期信号をカウントして選択信号を発生するタイミングコントローラと、
前記選択信号に従って前記映像信号処理部からの第１映像信号と前記タイミングコントローラからの第２映像信号の中からいずれかを選択的に出力する映像信号選択部と、
前記映像信号選択部によって選択された出力映像信号を前記液晶パネルに供給するデータドライバと、
を具備することを特徴とする液晶表示装置の駆動装置。
【請求項１２】
前記タイミングコントローラは、前記第２映像信号を発生する映像信号発生部と、前記複合同期信号のパルスをカウントして前記選択信号を発生する入力信号検出部と、を具備する
ことを特徴とする請求項１１記載の液晶表示装置の駆動装置。
【請求項１３】
前記入力信号検出部は、前記複合同期信号をカウントして前記複合同期信号が２回以下検出された場合に第１論理状態の選択信号を発生するカウンタである
ことを特徴とする請求項１２記載の液晶表示装置の駆動装置。
【請求項１４】
前記カウンタは、前記複合同期信号をカウントして前記複合同期信号が２回を超えて検出された場合に第２論理状態の選択信号を発生するカウンタである
ことを特徴とする請求項１３記載の液晶表示装置の駆動装置。
【請求項１５】
前記映像信号選択部は、前記第１映像信号の赤色信号と前記第２映像信号の赤色信号が供給される第１選択回路と、前記第１映像信号の緑信号と前記第２映像信号の緑信号が供給される第２選択回路と、前記第１映像信号の青色信号と前記第２映像信号の青色信号が供給される第３選択回路と、を具備する
ことを特徴とする請求項１４記載の液晶表示装置の駆動装置。
【請求項１６】
前記第１乃至第３選択回路のそれぞれは、前記第１論理状態の選択信号に従って前記第２映像信号を選択して前記データドライバに供給して、前記第２論理状態の選択信号に従って前記第１映像信号を選択して前記データドライバに供給する
ことを特徴とする請求項１４記載の液晶表示装置の駆動装置。
【発明の詳細な説明】
【技術分野】
【０００１】
本発明は液晶表示装置の駆動装置に関するもので、特に映像信号が無信号の時に特定映像信号を利用して画像を検査するようにした液晶表示装置の駆動装置及び方法に関するものである。
【背景技術】
【０００２】
アクティブマトリックス（Active Matrix）駆動方式の液晶表示装置は、スイチング素子として薄膜トランジスタ（Thin Film Transistor）を利用して自然な動画像を表示している。このような液晶表示装置はブラウン管に比べて小型化が可能で、パーソナルコンピューター（Personal Computer）とノートブックコンピューター（Note Book Computer）は勿論、コピー機などのオフィスオートメーション機器、携帯電話機やポケットベルなどの携帯機器まで手広く利用されている。
【０００３】
アクティブマトリックスタイプの液晶表示装置は、液晶セルがゲートラインとデータラインの交差部のそれぞれに配列されられた画素マトリックス（Picture Element MatrixまたはPixel Matrix）にテレビ信号のようなビデオ信号にあたる画像を表示するようになる。ＴＦＴはゲートラインとデータラインの交差部に設置されてゲートラインからのスキャン信号（ゲートパルス）に応答して液晶セルの方に送信されるデータ信号を切換するようになる。
【０００４】
このような液晶表示装置は、テレビ信号方式に従って ＮＴＳＣ（アメリカカラーテレビ標準方式選定のために組職された委員会）信号方式用とＰＡＬＰＡＬ（西ドイツで開発されたカラーテレビ方式）信号方式用に分けられる。
【０００５】
一般的に、ＮＴＳＣ信号（５２５垂直ライン）が入力されれば、液晶表示装置の水平ディスプレイ解像度はサンプリングされるデータの数に従って従い、垂直解像度は２３４ラインーデインタレース（Deinterlace）方式で表現される。また、ＰＡＬ信号（６２５垂直ライン）が入力されれば、液晶表示装置の水平ディスプレイ解像度はサンプリングされるデータの数に従って従い、垂直解像度は６垂直ラインごとに１ラインを除去して５２１ライン作りＮＴＳＣ信号のような処理方式で表現される。
【０００６】
図１を参照すると、一般的な液晶表示装置の駆動装置は、液晶セルがマトリックス型に配列された液晶パネル３０と、液晶パネル３０のゲートライン（GL）を駆動するためのゲートドライバ３４と、液晶パネル３０のデータライン（DL）を駆動するためのデータドライバ３２と、入力される複合映像信号（ＮＴＳＣ）から複合同期信号（Csync）及び赤色、緑及び青色映像信号（R_Video, G_Video, B_Video）を抽出して赤色、緑及び青色映像信号（R_Video, G_Video, B_Video）をデータドライバ３２に供給すると共に複合同期信号（Csync）をタイミング制御部２０に出力する映像信号処理部１０と、映像信号処理部１０から複合同期信号（Csync）を入力しデータドライバ３２を制御するためのデータ制御信号（DCS）及びゲートドライバ３４を制御するためのゲート制御信号（GCS）を生成してデータドライバ３２及びゲートドライバ３４のそれぞれに供給するタイミング制御部２０とを具備する。
【０００７】
液晶パネル３０は、マトリックス型に配列された液晶セルと、ゲートライン（GL）とデータライン（DL）の交差部ごとに形成されて液晶セルのそれぞれと接続された薄膜トランジスタ（ＴＦＴ）を具備する。
【０００８】
薄膜トランジスタ（ＴＦＴ）はゲートライン（GL）からのスキャン信号、すなわちゲートハイ電圧（VGH）が供給される場合、ターンーオンされてデータライン（DL）からの画素信号を液晶セルに供給する。また、薄膜トランジスタ（ＴＦＴ）はゲートライン（GL）からゲートロー電圧（VGL）が供給される場合、ターンーオフされて液晶セルに充電された画素信号が維持されるようにする。
【０００９】
液晶セルは、等価的に液晶容量キャパシタ（LC）として表現され、液晶を間に置いて対面する共通電極と薄膜トランジスタ（ＴＦＴ）に接続された画素電極とを含む。また、液晶セルは、充電された画素信号が次の画素信号が充電されるまで安定的に維持されるようにするためにストレージキャパシタ（Cst）をさらに具備する。このストレージキャパシタ（Cst）は、ゲートラインと画素電極の間に形成される。このような液晶セルは、薄膜トランジスタ（ＴＦＴ）を通じて充電される画素信号に従って誘電異方性を持つ液晶の配列状態が可変して光透過率を調節することによって階調を具現するようになる。
【００１０】
映像信号処理部１０は、外部から供給される複合映像信号（ＮＴＳＣ）を液晶パネル３０の特性に従って駆動に適当な赤色、緑及び青色映像信号（R_Video, G_Video, B_Video）に変換してデータドライバ３２に供給すると共に、複合映像信号（ＮＴＳＣ）から複合同期信号（Csync）を抽出してタイミング制御部２０に供給する。
【００１１】
タイミング制御部２０は、映像信号処理部１０から供給される複合同期信号（Csync）を利用して水平同期信号（Hsync）、垂直同期信号（Vsync）及びドットクロック（Dclk）を生成してデータドライバ３２に供給する。また、タイミング制御部２０は、生成された水平同期信号（Hsync）、垂直同期信号（Vsync）及びドットクロック（Dclk）を利用してデータドライバ３２の駆動タイミングを制御するためのデータ制御信号（DCS）を生成してデータドライバ３２に供給すると共に、ゲートドライバ３４の駆動タイミングを制御するためのゲート制御信号（GCS）を生成してゲートドライバ３４に供給する。
【００１２】
ゲートドライバ３４は、タイミング制御部２０からのゲート制御信号（GSP, GSC, GOE）に応答してゲートライン（GL）に順次ゲートハイ電圧（VGH）を供給する。これによって、ゲートドライバ３４は、ゲートライン（GL）に接続された薄膜トランジスタ（ＴＦＴ）がゲートライン（GL）単位に駆動されるようにする。
【００１３】
具体的には、ゲートドライバ３４は、ゲートスタートパルス（GSP）をゲートシフトパルス（GSC）に従ってシフトさせてシフトパルスを発生する。そして、ゲートドライバ３４は、シフトパルスに応答して水平期間（H１, H２, ...）ごとに該当のゲートライン（GL）にゲートハイ電圧（VGH）を供給するようになる。この場合、ゲートドライバ３４は、ゲート出力イネーブル信号（GOE）に応答してイネーブル期間でのみゲートハイ電圧（VGH）を供給するようになる。また、ゲートドライバ３４は、ゲートライン（GL）にゲートハイ電圧（VGH）が供給されない他の期間ではゲートロー電圧（VGL）を供給するようになる。
【００１４】
データドライバ３２は、図２に図示されたように、タイミング制御部２０からの水平同期信号（Hsync）、垂直同期信号（Vsync）及びドットクロック（Dclk）及びデータ制御信号（SSP, SSC, SOE）に応答して水平期間（H１, H２, ...）ごとに１ライン分ずつの画素データ信号をデータライン（DL）に供給する。特に、データドライバ３２は、映像信号処理部１０からの赤色、緑及び青色映像信号（R_Video, G_Video, B_Video）のそれぞれをアナログデータに変換してデータライン（DL）に供給するようになる。
【００１５】
具体的には、データドライバ３２は、タイミング制御部２０からのソーススタートパルス（SSP）をソースシフトクロック（SSC）に従ってシフトさせてサンプリング信号を発生する。引き継いで、データドライバ３２は、サンプリング信号に応答して赤色、緑及び青色映像信号（R_Video, G_Video, B_Video）を一定単位ずつ順次入力してサーチする。そして、データドライバ３２はサーチされた１ライン分のアナログデータをデータライン（DL）に供給するようになる。
【００１６】
一方、液晶表示装置の製造工程の中、完成された液晶表示装置に特定映像信号を表示して長期間に放置するパネルエイジング工程を実施するようになる。このような、パネルエイジング工程の時、図２に図示されたのように、データドライバ３２に赤色、緑及び青色映像信号（R_Video, G_Video, B_Video）を供給することと同時にタイミング制御部２０からデータ制御信号を供給する。これによって、液晶パネル３０は、赤色、緑及び青色映像信号（R_Video, G_Video, B_Video）に対応する画像を表示するようになる。
【００１７】
しかし、パネルエイジング工程の時、データドライバ３２に供給される赤色、緑及び青色映像信号（R_Video, G_Video, B_Video）が印加されない場合、赤色、緑及び青色映像信号（R_Video, G_Video, B_Video）のそれぞれのレベルがグラウンドレベルに処理されるので、液晶パネル３０上にはブラック画面だけ表示されるようになる。したがって、一般的な液晶表示装置の駆動装置は、データドライバ３２に赤色、緑及び青色映像信号（R_Video, G_Video, B_Video）が供給されない場合には液晶パネル３０の画像検知ができない問題点がある。また、パネルエイジング工程の時に液晶表示装置に必ず赤色、緑及び青色映像信号（R_Video, G_Video, B_Video）を供給しなければならないので、赤色、緑及び青色映像信号（R_Video, G_Video, B_Video）の入力有無を検出することができない問題点がある。これによって、パネルエイジング装備のセッティングに困難がある。
【発明の開示】
【発明が解決しようとする課題】
【００１８】
したがって、本発明の目的は、映像信号が無信号の時に特定映像信号を利用して画像を検査するようにした液晶表示装置の駆動装置及び方法を提供することにある。
【００１９】
本発明の他の目的は、映像信号が無信号の時に特定映像信号を利用して画像を検査することによってエイジング工程などの製造工程時間を縮めるようにした液晶表示装置の駆動装置及び方法を提供することにある。
【課題を解決するための手段】
【００２０】
上記目的を達成するために、本発明に係る液晶表示装置の駆動装置は、液晶パネルと、外部から入力される複合映像信号から複合同期信号及び第１映像信号を抽出する映像信号処理部と、第２映像信号を発生する映像信号発生部と、前記複合同期信号をカウントして選択信号を発生する入力信号検出部と、前記選択信号に従って前記映像信号処理部からの第１映像信号と前記映像信号発生部からの第２映像信号の中からいずれかを選択的に出力する映像信号選択部と、前記映像信号選択部によって選択され出力される出力映像信号を前記液晶パネルに供給するデータドライバとを具備する。
【００２１】
また、他の発明に係る液晶表示装置の駆動装置は、液晶パネルと、外部から入力される複合映像信号から複合同期信号及び第１映像信号を抽出する映像信号処理部と、第２映像信号を発生して前記複合同期信号をカウントして選択信号を発生するタイミングコントローラと、前記選択信号に従って前記映像信号処理部からの第１映像信号と前記タイミングコントローラからの第２映像信号の中からいずれかを選択的に出力する映像信号選択部と、前記映像信号選択部によって選択された出力映像信号を前記液晶パネルに供給するデータドライバとを具備する。
【００２２】
また、本発明液晶表示装置の駆動方法は、外部から入力される複合映像信号から複合同期信号及び第１映像信号を抽出する段階と、第２映像信号を発生する段階と、前記複合同期信号をカウントして選択信号を発生する段階と、映像信号選択部を利用して前記選択信号に従って前記第１映像信号と前記第２映像信号の中からいずれかを選択する段階と、前記映像信号選択部から選択されられて出力される前記第１映像信号と前記第２映像信号の中からいずれかをデータドライバを経由して液晶パネルに供給する段階とを含む。
【発明を実施するための最良の形態】
【００２３】
以下、図３乃至図８を参照して本発明の望ましい実施の形態に対して説明する事にする。
【００２４】
図３を参照すると、本発明の実施の形態に係る液晶表示装置の駆動装置は、液晶セルがマトリックス型に配列された液晶パネル１３０と、液晶パネル１３０のゲートライン（GL）を駆動するためのゲートドライバ１３４と、液晶パネル１３０のデータライン（DL）を駆動するためのデータドライバ１３２と、入力される複合映像信号（ＮＴＳＣ）から複合同期信号（Csync）及び映像信号（R_Video, G_Video, B_Video）を抽出して出力する映像信号処理部１１０と、映像信号処理部１１０からの複合同期信号（Csync）を利用してデータドライバ１３２及びゲートドライバ１３４のそれぞれを制御するすると共に複合同期信号（Csync）を利用して映像信号選択信号（SEL）を生成して映像信号（R_Video, G_Video, B_Video）の無入力の時、特定画像に表示するための特定映像信号（REF_R, REF_G, REF_B）を生成するタイミング制御部１２０と、タイミング制御部１２０からの映像信号選択信号（SEL）に従って映像信号処理部１１０から供給される映像信号（R_Video, G_Video, B_Video）とタイミング制御部１２０からの特定映像信号（REF_R, REF_G, REF_B）中からいずれかを選択してデータドライバ１３２に供給する映像信号選択部１５０を具備する。
【００２５】
液晶パネル１３０は、マトリックス型に配列された液晶セルと、ゲートライン（GL）とデータライン（DL）の交差部ごとに形成されて液晶セルのそれぞれと接続された薄膜トランジスタ（ＴＦＴ）を具備する。
【００２６】
薄膜トランジスタ（ＴＦＴ）は、ゲートライン（GL）からのスキャン信号、すなわちゲートハイ電圧（VGH）が供給される場合、ターンオンされてデータライン（DL）からの画素信号を液晶セルに供給する。そして、薄膜トランジスタ（ＴＦＴ）は、ゲートライン（GL）からゲートロー電圧（VGL）が供給される場合、ターンオフされて液晶セルに充電された画素信号が維持されるようにする。
【００２７】
液晶セルは、等価的に液晶容量キャパシタ（LC）として表現され、液晶を間に置いて対面する共通電極と薄膜トランジスタ（ＴＦＴ）に接続された画素電極とを含む。また、液晶セルは、充電された画素信号が次の画素信号が充電されるまで安定的に維持されるようにするためにストレージキャパシタ（Cst）をさらに具備する。このストレージキャパシタ（Cst）は、ゲートラインと画素電極の間に形成される。このような液晶セルは、薄膜トランジスタ（ＴＦＴ）を通じて充電される画素信号に従って誘電異方性を持つ液晶の配列状態が可変して光透過率を調節することによって階調を具現するようになる。
【００２８】
映像信号処理部１１０は、外部から供給される複合映像信号（ＮＴＳＣ）を液晶パネル１３０の特性に従って駆動に適当な赤色、緑及び青色映像信号（R_Video, G_Video, B_Video）に変換して映像信号選択部１５０に供給すると共に、複合映像信号（ＮＴＳＣ）から複合同期信号（Csync）を抽出してタイミング制御部１２０に供給する。
【００２９】
タイミング制御部１２０は、図４に図示されたように、映像信号処理部１１０から供給される複合同期信号（Csync）を利用して水平同期信号（Hsync）、垂直同期信号（Vsync）及びドットクロック（Dclk）を生成してデータドライバ１３２に供給する。また、タイミング制御部１２０は生成された水平同期信号（Hsync）、垂直同期信号（Vsync）及びドットクロック（Dclk）を利用してデータドライバ１３２の駆動タイミングを制御するためのデータ制御信号（DCS）を生成してデータドライバ１３２に供給するすると共にゲートドライバ１３４の駆動タイミングを制御するためのゲート制御信号（GCS）を生成してゲートドライバ１３４に供給する。
【００３０】
一方、タイミング制御部１２０は、図５に図示されたように、映像信号選択信号（SEL）を生成するためのカウンタ１２２と、特定映像信号（REF_R, REF_G, REF_B）のそれぞれを生成するための特定映像信号発生部１２４とを具備する。この時、特定映像信号発生部１２４は、タイミング制御部１２０の内部に集積化されるとか外部に別に設置されることができる。
【００３１】
カウンタ１２２は、映像信号処理部１１０から供給される複合同期信号（Csync）をカウントして映像信号選択信号（SEL）を生成する。この時、カウンタ１２２は、複合同期信号（Csync）の入力が２回以下の場合に、第１論理状態を持つ映像信号選択信号（SEL）を生成して映像信号選択部１５０に供給すると共に、複合同期信号（Csync）が２回を超えて入力される場合に、第２論理状態を持つ映像信号選択信号（SEL）を生成して映像信号選択部１５０に供給する。
【００３２】
特定映像信号生成部１２４は、水平同期信号（Hsync）及びドットクロック（Dclk）を利用して図６Ａ乃至図６Ｄに図示されたような特定赤色、緑及び青色映像信号（REF_R, REF_G, REF_B）のそれぞれを生成する。ここで、特定映像信号（REF_R, REF_G, REF_B）のそれぞれは、特定赤色、緑及び青色映像信号（REF_R, REF_G, REF_B）の組合によって図６Ａに図示されたような液晶パネル１３０上にプールブラック（Black）画像と、図６Ｂに図示されたようなプールホワイト（White）画像と、図６Ｃに図示されたようなプール赤色画像と、図６Ｄに図示されたようなブラック（Black）及びホワイト（White）が交番的に繰り返される画像の中からいずれかを表示するようになる。この時、液晶パネル１３０上に表示される特定映像信号（REF_R, REF_G, REF_B）の画像は、特定赤色（REF_R）信号、特定緑（REF_G）及び特定青色（REF_B）のそれぞれの論理状態に従って変わるようになりて、極性反転信号（POL）によって１水平区間単位で極性が反転される。このような、特定映像信号（REF_R, REF_G, REF_B）は、映像信号処理部１１０からデータドライバ１３２に供給される赤色、緑及び青色映像信号（R_Video, G_Video, B_Video）と異なっている信号になる。
【００３３】
映像信号選択部１５０は、図７に図示されたようにタイミング制御部１２０からの映像信号選択信号（SEL）に従って映像信号処理部１１０からの赤色映像信号（R_Video）と特定映像信号生成部１２４からの特定赤色映像信号（REF_R）中からいずれかを出力する第１選択回路１５２と、映像信号処理部１１０からの緑映像信号（G_Video）と特定映像信号生成部１２４からの特定緑映像信号（REF_G）中からいずれかを出力する第２選択回路１５４と、映像信号処理部１１０からの青色映像信号（B_Video）と特定映像信号生成部１２４からの特定青色映像信号（REF_B）中からいずれかを出力する第３選択回路１５６とを具備する。
【００３４】
第１乃至第３選択回路（１５２, １５４, １５６）のそれぞれは、タイミング制御部１２０から供給される映像信号選択信号（SEL）が第１状態の論理信号の場合、タイミング制御部１２０の特定映像信号生成部１２４から供給される特定赤色（REF_R）信号、特定緑（REF_G）及び特定青色（REF_B）のそれぞれを選択して出力するようになる。これによって、映像信号選択部１５０からデータドライバ１３２に出力される出力映像信号（R, G, B）は特定映像信号（REF_R, REF_G, REF_B）になる。
【００３５】
その反面、第１乃至第３選択回路（１５２, １５４, １５６）のそれぞれは、タイミング制御部１２０から供給される映像信号選択信号（SEL）が第２状態の論理信号の場合、映像信号処理部１１０から供給される赤色、緑及び青色映像信号（R_Video, G_Video, B_Video）のそれぞれを選択して出力するようになる。これによって、映像信号選択部１５０からデータドライバ１３２に出力される出力映像信号（R, G, B）は赤色、緑及び青色映像信号（R_Video, G_Video, B_Video）になる。
【００３６】
ゲートドライバ１３４は、タイミング制御部１２０からのゲート制御信号（GSP, GSC, GOE）に応答してゲートライン（GL）に順次ゲートハイ電圧（VGH）を供給する。これによって、ゲートドライバ１３４は、ゲートライン（GL）に接続された薄膜トランジスタ（ＴＦＴ）がゲートライン（GL）単位に駆動されるようにする。
【００３７】
具体的には、ゲートドライバ１３４は、ゲートスタートパルス（GSP）をゲートシフトパルス（GSC）に従ってシフトさせてシフトパルスを発生する。また、ゲートドライバ１３４は、シフトパルスに応答して水平期間（H１, H２, ...）ごとに該当のゲートライン（GL）にゲートハイ電圧（VGH）を供給するようになる。この場合、ゲートドライバ１３４は、ゲート出力イネーブル信号（GOE）に応答してイネーブル期間でのみゲートハイ電圧（VGH）を供給するようになる。そして、ゲートドライバ１３４は、ゲートライン（GL）にゲートハイ電圧（VGH）が供給されない他の期間ではゲートロー電圧（VGL）を供給するようになる。
【００３８】
データドライバ１３２は、タイミング制御部１２０からの水平同期信号（Hsync）、垂直同期信号（Vsync）及びドットクロック（Dclk）及びデータ制御信号（SSP, SSC, SOE）に応答して水平期間（H１, H２, ...）ごとに１ライン分ずつの画素データ信号をデータライン（DL）に供給する。特に、データドライバ１３２は、映像信号選択部１５０から供給される出力映像信号（R, G, B）をアナログデータに変換してデータライン（DL）に供給するようになる。
【００３９】
具体的には、データドライバ１３２は、タイミング制御部１２０からのソーススタートパルス（SSP）をソースシフトクロック（SSC）に従ってシフトさせてサンプリング信号を発生する。引き継いで、データドライバ１３２は、サンプリング信号に応答して映像信号選択部１５０から供給される出力映像信号（R, G, B）を一定単位ずつ順次入力してサーチする。また、データドライバ１３２は、サーチされた１ライン分のアナログデータをデータライン（DL）に供給するようになる。 
【００４０】
このような、本発明の実施の形態に係る液晶表示装置の駆動装置は、映像信号選択部１５０を利用して映像信号処理部１１０からデータドライバ１３２に映像信号（R_Video, G_Video, B_Video）が供給される場合には映像信号処理部１１０からの映像信号（R_Video, G_Video, B_Video）を選択してデータドライバ１３２に供給し、映像信号処理部１１０からデータドライバ１３２に映像信号（R_Video, G_Video, B_Video）が供給されない場合にはタイミング制御部１２０で発生した特定映像信号処理部１１０からの特定映像信号（REF_R, REF_G, REF_B）を選択してデータドライバ１３２に供給するようになる。
【００４１】
これによって、本発明の実施の形態に係る液晶表示装置の駆動装置は、液晶表示装置の製造工程の中からパネルエイジング工程の時、映像信号処理部１１０からデータドライバ１３２に映像信号が供給されない場合、すなわち無信号の時にもタイミング制御部１２０において発生する特定映像信号（REF_R, REF_G, REF_B）を利用して画像検査を実施することができるようになる。したがって、本発明の実施の形態に係る液晶表示装置の駆動装置は、映像信号の入力有無を検出して無信号の時にも画像検査パターンを液晶パネルに表示することによって液晶表示装置の製造工程時間を縮めさせることができるようになる。
【００４２】
このような、本発明の実施の形態に係る液晶表示装置の駆動装置は、電界放出表示装置（Field Emission Display）、プラズマ表示パネル（Plasma Display Panel）及びエレクトロ−ルミネセンス（Electro−Luminescence）表示装置などを含む各種自発光及び非自発光平板表示装置（Flat Panel Display）に適用することができる。
【００４３】
上述したように、本発明の実施の形態に係る液晶表示装置の駆動装置は、映像信号処理部から供給される複合同期信号をカウントして映像信号の入力有無を検出して選択信号を生成するカウンタと特定映像信号を発生する特定映像信号発生部を持つタイミング制御部と、選択信号に従って映像信号と特定映像信号を選択してデータドライバに供給する映像信号選択部とを具備する。これによって、本発明は、映像信号の無信号の時、特定映像信号を利用して画素検査を実施することによって液晶表示装置の製造工程時間を縮めさせることができる。
【００４４】
以上説明した内容を通じて当業者であれば、本発明の技術思想を逸脱しない範囲において多様な変更及び修正ができる。したがって、本発明の技術的範囲は明細書の詳細な説明に記載した内容に限定されるのではなく特許請求の範囲によって決められなければならない。
【図面の簡単な説明】
【００４５】
【図１】一般的な液晶表示装置の駆動装置を示すブロック図。
【図２】図１に図示されたタイミング制御部及びデータドライバを示すブロック図。
【図３】本発明の実施の形態に係る液晶表示装置の駆動装置を示すブロック図。
【図４】図３に図示されたタイミング制御部及び映像信号選択部を示すブロック図。
【図５】図３に図示されたタイミング制御部を示すブロック図。
【図６Ａ】図５に図示された特定映像信号発生部によって発生されるプールブラック画像を表示する特定映像信号を示す波形図。
【図６Ｂ】図５に図示された特定映像信号発生部によって発生されるプールホワイト画像を表示する特定映像信号を示す波形図。
【図６Ｃ】図５に図示された特定映像信号発生部によって発生されるプール赤色画像を表示する特定映像信号を示す波形図。
【図６Ｄ】図５に図示された特定映像信号発生部によって発生されるブラック及びホワイトが交番的に繰り返される画像を表示する特定映像信号を示す波形図。
【図７】図３に図示された映像信号選択部を示すブロック図。
【符号の説明】
【００４６】
１０，１１０：映像信号処理部、２０，１２０：タイミング制御部、３０，１３０：液晶パネル、３２，１３２：データドライバ、３４，１３４：ゲートドライバ、１２２：カウンタ、１２４：特定映像信号発生部１５０：映像信号選択部、１５２，１５４，１５６：選択回路。
【図１】
2005115375.tif 000003
【図２】
2005115375.tif 000004
【図３】
2005115375.tif 000005
【図４】
2005115375.tif 000006
【図５】
2005115375.tif 000007
【図６Ａ】
2005115375.tif 000008
【図６Ｂ】
2005115375.tif 000009
【図６Ｃ】
2005115375.tif 000010
【図６Ｄ】
2005115375.tif 000011
【図７】
2005115375.tif 000012